【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
プリコーディングを利用するマルチインプットマルチアウトプット（ＭＩＭＯ）方式の移動通信システムにおけるユーザ装置であって、
基地局により使用されるべきプリコーディングマトリクスを示すプリコーディングマトリクスインジケータ（ＰＭＩ）を生成するＰＭＩ生成部と、
前記ＰＭＩを前記基地局へフィードバックする送信部と、
前記基地局からの信号を受信する受信部とを備え、
前記受信部において受信した信号には、本ユーザ装置からフィードバックしたＰＭＩ情報に従っているか否かに関する情報が含まれていることを特徴とするユーザ装置。
【請求項２】
前記ＰＭＩ生成部は、サブバンドに関するＰＭＩを生成し、
前記送信部は、サブバンドに関するＰＭＩをフィードバックするために、ＰＵＳＣＨを使用することを特徴とする請求項１に記載のユーザ装置。
【請求項３】
前記ＰＭＩ生成部は、広帯域のＰＭＩを生成し、
前記送信部は、広帯域のＰＭＩをフィードバックするために、ＰＵＣＣＨを使用することを特徴とする請求項１または２に記載のユーザ装置。
【請求項４】
前記ＰＭＩを入力し、所定の遅延時間の経過後に、当該ＰＭＩを出力する遅延回路と、
前記遅延回路から前記ＰＭＩを入力し、入力したＰＭＩを格納する蓄積部と、
前記受信部において受信した前記基地局からの信号に対し、前記蓄積部に格納されるＰＭＩを使用してチャネル推定を行うチャネル推定部とをさらに備えることを特徴とする請求項１に記載のユーザ装置。
【請求項５】
前記遅延回路に対し、前記基地局から高レイヤシグナリングを通して前記所定の遅延時間が提供される、請求項４に記載のユーザ装置。
【請求項６】
プリコーディングを利用するＭＩＭＯ方式の移動通信システムにおける通信方法であって、
基地局により使用されるべきプリコーディングマトリクスを示すＰＭＩを生成するステップと、
前記ＰＭＩを前記基地局へフィードバックするステップと、
前記基地局からの信号を受信するステップとを備え、
前記受信するステップにおいて受信した信号には、フィードバックしたＰＭＩ情報に従っているか否かに関する情報が含まれていることを特徴とする通信方法。
【請求項７】
プリコーディングを利用するマルチインプットマルチアウトプット（ＭＩＭＯ）方式の移動通信システムであって、
プリコーディングマトリクスが乗算された信号を送信する基地局装置と、
前記基地局装置からの信号を受信する移動局装置とを備え、
前記基地局装置により使用されるべきプリコーディングマトリクスを示すプリコーディングマトリクスインジケータ（ＰＭＩ）を生成するＰＭＩ生成部と、
前記ＰＭＩを前記基地局装置へフィードバックする送信部と、
前記基地局装置からの信号を受信する受信部とを備え、
前記受信部において受信した信号には、本ユーザ装置からフィードバックしたＰＭＩ情報に従っているか否かに関する情報が含まれていることを特徴とする移動通信システム。
【手続補正２】
【補正対象書類名】明細書
【補正対象項目名】発明の名称
【補正方法】変更
【補正の内容】
【発明の名称】ユーザ装置、送信方法、および移動通信システム
【手続補正３】
【補正対象書類名】明細書
【補正対象項目名】０００９
【補正方法】変更
【補正の内容】
【０００９】
本発明の第１の態様は、プリコーディングを利用するマルチインプットマルチアウトプット（ＭＩＭＯ）方式の移動通信システムにおけるユーザ装置であって、基地局により使用されるべきプリコーディングマトリクスを示すプリコーディングマトリクスインジケータ（ＰＭＩ）を生成するＰＭＩ生成部と、前記ＰＭＩを前記基地局へフィードバックする送信部と、前記基地局からの信号を受信する受信部とを備え、前記受信部において受信した信号には、本ユーザ装置からフィードバックしたＰＭＩ情報に従っているか否かに関する情報が含まれていることを特徴とするユーザ装置を提供する。
【手続補正４】
【補正対象書類名】明細書
【補正対象項目名】００１０
【補正方法】変更
【補正の内容】
【００１０】
本発明の第２の態様は、第１の態様のユーザ装置であって、前記ＰＭＩ生成部は、サブバンドに関するＰＭＩを生成し、前記送信部は、サブバンドに関するＰＭＩをフィードバックするために、ＰＵＳＣＨを使用することを特徴とするユーザ装置を提供する。
【手続補正５】
【補正対象書類名】明細書
【補正対象項目名】００１１
【補正方法】変更
【補正の内容】
【００１１】
本発明の第３の態様は、第１または第２の態様のユーザ装置であって、前記ＰＭＩ生成部は、広帯域のＰＭＩを生成し、前記送信部は、広帯域のＰＭＩをフィードバックするために、ＰＵＣＣＨを使用することを特徴とするユーザ装置を提供する。
【手続補正６】
【補正対象書類名】明細書
【補正対象項目名】００１２
【補正方法】変更
【補正の内容】
【００１２】
本発明の第４の態様は、第１の態様のユーザ装置であって、前記ＰＭＩを入力し、所定の遅延時間の経過後に、当該ＰＭＩを出力する遅延回路と、前記遅延回路から前記ＰＭＩを入力し、入力したＰＭＩを格納する蓄積部と、前記受信部において受信した前記基地局からの信号に対し、前記蓄積部に格納されるＰＭＩを使用してチャネル推定を行うチャネル推定部とをさらに備えることを特徴とする記載のユーザ装置を提供する。
【手続補正７】
【補正対象書類名】明細書
【補正対象項目名】００１３
【補正方法】変更
【補正の内容】
【００１３】
本発明の第５の態様は、第４の態様のユーザ装置であって、前記遅延回路に対し、前記基地局から高レイヤシグナリングを通して前記所定の遅延時間が提供されるユーザ装置が提供する。
【手続補正８】
【補正対象書類名】明細書
【補正対象項目名】００１４
【補正方法】変更
【補正の内容】
【００１４】
本発明の第６の態様は、プリコーディングを利用するＭＩＭＯ方式の移動通信システムにおける通信方法であって、基地局により使用されるべきプリコーディングマトリクスを示すＰＭＩを生成するステップと、前記ＰＭＩを前記基地局へフィードバックするステップと、前記基地局からの信号を受信するステップとを備え、前記受信するステップにおいて受信した信号には、フィードバックしたＰＭＩ情報に従っているか否かに関する情報が含まれていることを特徴とする通信方法を提供する。
【手続補正９】
【補正対象書類名】明細書
【補正対象項目名】００１５
【補正方法】変更
【補正の内容】
【００１５】
本発明の第７の態様は、プリコーディングを利用するマルチインプットマルチアウトプット（ＭＩＭＯ）方式の移動通信システムであって、プリコーディングマトリクスが乗算された信号を送信する基地局装置と、前記基地局装置からの信号を受信する移動局装置とを備え、前記基地局装置により使用されるべきプリコーディングマトリクスを示すプリコーディングマトリクスインジケータ（ＰＭＩ）を生成するＰＭＩ生成部と、前記ＰＭＩを前記基地局装置へフィードバックする送信部と、前記基地局装置からの信号を受信する受信部とを備え、前記受信部において受信した信号には、本ユーザ装置からフィードバックしたＰＭＩ情報に従っているか否かに関する情報が含まれていることを特徴とする移動通信システムを提供する。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】